(57)【要約】【課題】被検物に奥行きの深い傷等の凹部がある場合でも、凹部の底部を含む所望の箇所の明るい画像を取得できる顕微鏡用アダプタを提供する。【解決手段】対物レンズ４１の外周に観察用照明部が配置された顕微鏡の対物レンズ鏡筒の標本側端部に着脱可能に装着され、底部に開口部６１を有する筐体６４と、前記筐体６４内に配置され、標本に対する前記観察用照明部からの照明光の照射角度を調整する照射角度調整手段６５とを有することを特徴とする顕微鏡用アダプタ。【選択図】図２
2011158778.tif 000002
【特許請求の範囲】
【請求項１】
対物レンズの外周に観察用照明部が配置された顕微鏡の対物レンズ鏡筒の標本側端部に着脱可能に装着され、底部に開口部を有する筐体と、
前記筐体内に配置され、標本に対する前記観察用照明部からの照明光の照射角度を調整する照射角度調整手段とを有することを特徴とする顕微鏡用アダプタ。
【請求項２】
前記顕微鏡は前記対物レンズを介して前記標本の像を撮像する撮像手段を有し、
前記照射角度調整手段は、前記対物レンズと前記撮像手段とからなる撮影光路の外で且つ前記観察用照明部からの照明光の光路上に配置された第１反射部材と、
前記撮影光路中に配置され前記第１反射部材からの前記照明光を前記標本に対して反射する第２反射部材とからなることを特徴とする請求項１に記載の顕微鏡用アダプタ。
【請求項３】
前記第１反射部材と前記第２反射部材の少なくとも一方を移動させて前記標本に対する照明光の照射角度を調整することを特徴とする請求項２に記載の顕微鏡用アダプタ。
【請求項４】
前記第１反射部材は全反射ミラーであり、前記第２反射部材はハーフミラーであることを特徴とする請求項２または３に記載の顕微鏡用アダプタ。
【請求項５】
前記第２反射部材を回転させる回転機構を有することを特徴とする請求項２から４のいずれか１項に記載の顕微鏡用アダプタ。
【請求項６】
前記照射角度調整手段を前記撮影光路外に退避させる退避機構を有することを特徴とする請求項１から５のいずれか１項に記載の顕微鏡用アダプタ。
【請求項７】
請求項１から６のいずれか１項に記載の顕微鏡用アダプタを備えたことを特徴とする顕微鏡。
【請求項８】
請求項７に記載の顕微鏡と、当該顕微鏡を着脱可能に保持するスタンドとからなることを特徴とする顕微鏡。
【請求項９】
対物レンズの外周に配置され標本に照明光を照射する光源と、
前記標本の像を撮像する撮像手段と、
前記撮像手段からの信号を処理して前記標本の画像を形成する画像処理手段と、
前記光源と前記撮像手段と前記画像処理手段とを制御する制御手段とを有し、
対物レンズ鏡筒における前記標本側端部には、底部に開口部を有する筐体内に前記標本に対する前記照明光の照射角度を調整する照射角度調整手段を備えた着脱可能な顕微鏡用アダプタが装着されていることを特徴とする顕微鏡。
【発明の詳細な説明】
【技術分野】
【０００１】
本発明は、顕微鏡に着脱可能な顕微鏡用アダプタと、これを有する顕微鏡に関する。
【背景技術】
【０００２】
従来、対物レンズの外周に配置された照明装置で照明された標本の像を、対物レンズを介して撮像素子（ＣＣＤ）で撮像する拡大観察ユニットと、撮像された標本像を表示する表示装置とから構成された拡大撮像装置が提案されている（例えば、特許文献１参照）。
【先行技術文献】
【特許文献】
【０００３】
【特許文献１】特開平１１−１６４２９３号公報
【発明の概要】
【発明が解決しようとする課題】
【０００４】
しかしながら、従来の拡大観察ユニットからなる顕微鏡では、撮影光路の外側にＬＥＤ等の照明系が配置されるため、被検物（本明細書中では、標本とも記す。）に奥行きの深い傷等の凹部がある場合、照明系からの照射光は凹部全体をくまなく照射することができず、凹部の底部を含む所望の箇所の明るい画像が取得できないという問題があった。
【課題を解決するための手段】
【０００５】
本発明は上記問題に鑑みなされたものであって、対物レンズの外周に観察用照明部が配置された顕微鏡の対物レンズ鏡筒の標本側端部に着脱可能に装着され、底部に開口部を有する筐体と、前記筐体内に配置され、標本に対する前記観察用照明部からの照明光の照射角度を調整する照射角度調整手段とを有することを特徴とする顕微鏡用アダプタを提供する。
【０００６】
また、本発明は、前記顕微鏡用アダプタを備えたことを特徴とする顕微鏡を提供する。
【０００７】
また、本発明は、前記顕微鏡用アダプタを備えた顕微鏡と、当該顕微鏡を着脱可能に保持するスタンドとからなることを特徴とする顕微鏡を提供する。
【０００８】
また、本発明は、対物レンズの外周に配置され標本に照明光を照射する光源と、前記標本の像を撮像する撮像手段と、前記撮像手段からの信号を処理して前記標本の画像を形成する画像処理手段と、前記光源と前記撮像手段と前記画像処理手段とを制御する制御手段とを有し、対物レンズ鏡筒における前記標本側端部には、底部に開口部を有する筐体内に前記標本に対する前記照明光の照射角度を調整する照射角度調整手段を備えた着脱可能な顕微鏡用アダプタが装着されていることを特徴とする顕微鏡を提供する。
【発明の効果】
【０００９】
本発明によれば、被検物の凹部の底部を含む所望の箇所の明るい画像を取得できる顕微鏡用アダプタ、該顕微鏡用アダプタを有する顕微鏡、及び該顕微鏡用アダプタを備えた顕微鏡と当該顕微鏡を着脱可能に保持するスタンドとからなる顕微鏡を提供することができる。
【図面の簡単な説明】
【００１０】
【図１】スタンドに保持された本実施形態に係る顕微鏡の概略構成側面図である。
【図２】本実施形態に係る顕微鏡用アダプタを装着した顕微鏡を示しており、顕微鏡をスタンドから取り外して被検物を観察している状態を示す図である。
【発明を実施するための形態】
【００１１】
以下、本発明の実施形態に係る顕微鏡用アダプタと顕微鏡について図面を参照しつつ詳細に説明する。なお、以下の実施形態は、発明の理解を容易にするためのものに過ぎず、本発明の技術的思想を逸脱しない範囲において当業者により実施可能な付加・置換等を施すことを排除することは意図していない。
【００１２】
はじめに、本願の実施形態に係る顕微鏡の全体的な構成について説明する。図１は、本願の実施形態に係る顕微鏡の概略構成側面図であり、顕微鏡本体がスタンドに取り付けられた状態を示している。図１に示すように、本実施形態に係る顕微鏡１０１は、スタンド２０と、スタンド２０に着脱可能に取り付けられた顕微鏡本体４０（以下、本明細書において単に「本体」という。）とからなり、本体４０は、スタンド２０から取り外された単体の状態でも顕微鏡として機能するようになっている。このため本体４０は、光学系４１、撮像素子、小型モニタ４６、及び各部を制御する電気系等４２を備えている。図２に示す後述する本実施形態に係る顕微鏡用アダプタ６０は、本体４０における標本側端部に装着して使用される。
【００１３】
スタンド２０は、標本が載置されるステージ１０が配置されたベース部１２と、ベース部１２から立設された支柱１４と、ステージ１０と対向する方向に支柱１４から垂直に設けられたアーム部１６とからなり、アーム部１６に円筒形状の本体４０が接続されている。
【００１４】
本実施形態において、アーム部１６と本体４０とは、把持部４８のコネクタ１８−１、１８−２、及び不図示の固定手段（オスアリとメスアリによる凹凸嵌合等）により接続されており、機械的に接続されると同時に電気的にも接続される構成となっている。本体４０には、コネクタ１８−１，１８−２を接続した際、本体４０をアーム部１６に対して固定するための不図示のクランプが設けられている。なお、本体４０をアーム部１６へ固定する手段はクランプに限られず、例えば本体４０が適度な嵌合力でスタンド２０に接続していても良い。また、以降、コネクタ１８−１，１８−２を個々に区別する必要のない場合、単にコネクタ１８と称する。
【００１５】
ベース部１２の側部には、ステージ１０を上下動させるためのステージ用上下動ハンドル２４が設けられており、観察者がステージ用上下動ハンドル２４を操作することによりステージ１０が上下に移動する。また、支柱１４の側部には、アーム部１６を上下動させるためのアーム部用上下動ハンドル２６が設けられており、観察者がアーム部用上下動ハンドル２６を操作することによりアーム部１６を上下動することができる。ステージ１０やアーム部１６を上下に移動することで、観察者はピント調整を行うことができる。なお、ステージ１０及びアーム部１６の上下動は、手動または自動のいずれにより行う構成としても良い。
【００１６】
また、ベース部１２の側部には、本体４０をアーム部１６に装着して使用する際に用いられる、本体４０内の変倍光学系（不図示）の変倍倍率を変化させるためのズームスイッチ２７、ＬＥＤ４３（図２参照）の光量等を調整するための調光スイッチ２８の他、ライブ画像のキャプチャを指示するときに操作されるキャプチャボタン２９、キャプチャ画像の再生を指示するための再生ボタン３１、及び観察画像の表示の切替を指示するための切替ボタン３２が設けられている。
【００１７】
スタンド２０にはスタンド２０全体の動作を制御するスタンド側制御基板３３が、本体４０には本体４０全体の動作を制御する本体側制御基板４２がそれぞれ設けられている。
【００１８】
このような構成のもと、本体４０をアーム部１６に装着して標本を観察する場合、スタンド２０に接続された不図示の電源からの電力は、スタンド２０内の給電部３５からアーム部１６を介して本体４０の各部に供給されて本体４０を駆動する。本体４０で得られた観察画像は、コネクタ１８を介して本体側制御基板４２からスタンド側制御基板３３へ供給され、スタンド２０に接続されたモニタ３７に表示される。また、ベース部１２に設けられた上記のキャプチャボタン２９等が操作されると、スタンド側制御基板３３は、操作されたボタン等から供給される信号に応じた動作をコネクタ１８を介して本体側制御基板４２に指示し、操作されたボタンに対応した動作が行われる。  
【００１９】
本実施形態に係る顕微鏡は、本体４０がアーム部１６から分離された状態となると、本体側制御基板４２は、本体４０への電力供給元を給電部３５から本体内のバッテリ４４に切り替えるとともに、観察画像の供給先をスタンド２０に接続されたモニタ３７から、本体４０の側面に設けられた小型モニタ４６に切り替える。これにより、本体４０の各部への電力はバッテリ４４から供給されるようになり、本体４０が単体で顕微鏡として機能する。
【００２０】
本体側制御基板４２は、本体４０がアーム部１６を介してスタンド２０に電気的に接続されていると判定すると、本体４０の操作系に対する操作を無効として受け付けず、スタンド２０の操作系に対する操作のみを有効として受け付ける構成となっている。なお、本体４０及びスタンド２０の各操作系に対する操作の有効・無効はこれに限られず、例えば両方の操作系に対する操作を有効としたり、別途設けたスイッチにより有効と無効を適宜切り替えるようにしても良い。
【００２１】
次に、本実施形態に係る顕微鏡用アダプタ６０及び本体４０について説明する。図２は、本実施形態に係る顕微鏡用アダプタ６０を装着した本体４０を示しており、本体４０をスタンド２０から取り外して、被検物１の凹部Ｒを観察している状態を示している。
【００２２】
本体４０は、円筒状の筐体４７と、観察者が把持するための把持部４８とからなる。筐体４７内には、筐体４７における被検物１側端部から順に、対物レンズ４１と、不図示の変倍光学系と結像光学系と、結像光学系により形成された観察光の像を撮像するＣＣＤ４５が配置され、撮影光路を構成している。
【００２３】
対物レンズ４１の周囲には、対物レンズ４１を取り囲むように筐体４７の内壁に沿って複数のＬＥＤ４３が輪帯状に並べられて固定され、ＬＥＤ４３の照明光出射側には、当該ＬＥＤ４３からの照明光を被検物１へ照射するためのレンズ４９が配置されている。図２に示すように、レンズ４９も、対物レンズ４１を取り囲むように筐体４７の内壁に沿って配置されている。本体４０では、複数のＬＥＤ４３の全部を一度に点灯させたり、一部のＬＥＤ４３のみを点灯させて被検物１を偏斜照明したりすることが可能となっている。
【００２４】
また、筐体４７内には上述のバッテリ４４が配置されているが、バッテリ４４は本体４０に対して着脱可能に構成されている。バッテリ４４を着脱可能とすることで、バッテリ４４を本体４０から外した際、不図示の充電器によりバッテリ４４を充電することができる。なお、バッテリ４４は、アーム部１６に装着した状態で充電することも可能である。
【００２５】
図１に示すように、筐体４７の外側面には、観察画像を表示するための小型モニタ４６が設けられている。小型モニタ４６は、筐体４７の側面に嵌めこんで設けられる他、筐体４７に対して開閉可能にヒンジ構造等で設けられていても良い。また、筐体４７の外側面には、ＬＥＤ４３からの照明光の光量等を調整するための本体側調光スイッチ５０（図１参照）等の各種スイッチが設けられている。
【００２６】
本実施形態に係る顕微鏡用アダプタ６０は、筐体４７における被検物１側端部に外嵌しており、観察者が適宜着脱できる構成となっている。なお、顕微鏡用アダプタ６０の筐体４７への固定方法は外嵌に限られず、ネジ等の固定手段により固定しても良い。
【００２７】
図２に示すように、顕微鏡用アダプタ６０は、中央に開口部６１を有するアダプタ底部６２と、筒状部６３とからなる断面略Ｕ字状のアダプタ筐体６４を有しており、ＬＥＤ４３からの照明光は開口部６１を通って被検物１を照射する。
【００２８】
アダプタ筐体６４は、その内部にＬＥＤ４３からの照明光の照射角度を調整する照射角度調整手段６５を有している。照射角度調整手段６５は、ＬＥＤ４３からの照明光を全反射する全反射ミラー６６と、全反射ミラー６６で反射された照明光を被検物１へと反射するハーフミラー６７とからなる。全反射ミラー６６は、顕微鏡の撮影光路外で照明光の光路上に配置されており、ハーフミラー６７は全反射ミラー６６で反射された照明光の光路上で顕微鏡の撮影光路中に配置されている。すなわち、全反射ミラー６６は、ＬＥＤ４３とレンズ４９の配置位置の延長線上に設けられており、ハーフミラー６７は、ＣＣＤ４５及び対物レンズ４１の配置位置の延長線上（光軸上）に設けられている。
【００２９】
ハーフミラー６７は、対物レンズ４１の光軸に対して直交する（紙面に対して垂直な）軸６７ａ上に一端が固定され、この軸を回転の中心として、図中上下方向（矢印Ａ方向）に回転する。軸６７ａは筐体４７の外側まで延在しており、当該外側の軸６７ａ上にはつまみが設けられている。観察者がこのつまみを回転することで、ハーフミラー６７は矢印Ａ方向に回転し、照明光の照射角度を調整することができる。このようにして、観察者は、被検物１の凹部Ｒを全体的に照射することができ、凹部Ｒの底部を含む所望の箇所の明るい画像を得ることができる。
【００３０】
なお、ハーフミラー６７を回転させる代わりに、移動機構により上下方向に移動可能に構成しても良く、この場合も照明光の照射角度を調整することができる。また、ハーフミラー６７を固定し、全反射ミラー６６を光軸に沿って図中左右方向（矢印Ｂ方向）に移動させても同様の効果を奏することができる。また、全反射ミラー６６とハーフミラー６７の両方を駆動することにより、照明光の照射角度を調整するように構成しても良い。このように、照明光の照射角度を調整することができれば、全反射ミラー６６及びハーフミラー６７の動かし方は適宜変更可能である。なお、全反射ミラー６６、ハーフミラー６７の駆動は自動または手動のいずれにより行う構成としても良い。また、顕微鏡用アダプタ６０自体を回転させて、照明光の照射角度を調整する構成にしても良い。この場合、被検物に対する斜光照明が可能となる。
【００３１】
また、顕微鏡用アダプタ６０は、照射角度調整手段６５を顕微鏡用アダプタ６０から退避可能とする退避機構を有することが好ましい。例えば、全反射ミラー６６とハーフミラー６７とをユニットとしてボックスにおさめ（図２中鎖線で示す部分）、このボックスをアダプタ筐体６４から挿脱可能とすることで、照射角度調整手段６５を退避可能とすることができる。この場合、アダプタ筐体６４は、ボックスを挿脱するための開口部と、この開口部を塞ぐ蓋部材とを有している。このような構成により、アダプタ筐体６４内へ埃等が浸入するのを防ぐことができる。
【００３２】
以上で本顕微鏡用アダプタ及び該顕微鏡用アダプタを有する顕微鏡の説明を終えるが、本顕微鏡用アダプタは、スタンドに着脱可能な上述のような顕微鏡だけでなく、対物レンズの外周に観察照明部が配置されたその他の顕微鏡、例えば実体顕微鏡等にも取り付けることができる。本顕微鏡用アダプタを用いることにより、照明光の照射角度を調整することができ、被検物に奥行きの深い凹部を有する場合でも、観察者は凹部の底部を含む所望の箇所の明るい画像を取得することができる。
【００３３】
また、本実施形態では、ＬＥＤからなる照明部を有する顕微鏡について説明したが、顕微鏡用アダプタの筐体内壁に沿って照明部を設け、照明部付アダプタとして顕微鏡に装着するように構成しても上記と同じ効果を得ることができる。
【符号の説明】
【００３４】
１０  ステージ
１２  ベース部
１４  支柱
１６  アーム部
１８  コネクタ
２０  スタンド
２４  ステージ用上下動ハンドル
２６  アーム部用上下動ハンドル
３３  スタンド側制御基板
４０  顕微鏡本体
４１  対物レンズ
４２  本体側制御基板
４７  筐体
４８  把持部
４９  レンズ
６０  顕微鏡用アダプタ
６１  開口部
６２  アダプタ底部
６３  筒状部
６４  アダプタ筐体
６５  照射角度調整手段
６６  全反射ミラー
６７  ハーフミラー
１０１  顕微鏡
【図１】
2011158778.tif 000003
【図２】
2011158778.tif 000004